【手続補正書】
【提出日】平成17年12月21日(2005.12.21)
【手続補正１】
【補正対象書類名】明細書
【補正対象項目名】特許請求の範囲
【補正方法】変更
【補正の内容】
【特許請求の範囲】
【請求項１】ボビンの中央部に一次巻線を装着し、この一次巻線の両側に第１と第２の二次巻線を装着し、前記ボビンに端子台を設け、該端子台に一次巻線用の一次入力端子と第１と第２の二次巻線用の二次高圧端子と第１と第２の二次巻線用のグランド端子を設け、前記一次巻線の両端のリード線を前記端子台の一次入力端子に接続し、前記第１の二次巻線の一端のリード線を前記第１の二次巻線用の二次高圧端子に接続し、前記第１の二次巻線の他端のリード線を前記第１の二次巻線用のグランド端子に接続し、前記第２の二次巻線の一端のリード線を前記第２の二次巻線用の二次高圧端子に接続し、該第２の二次巻線の他端のリード線を前記第２の二次巻線用のグランド端子に接続し、前記ボビンにコアを装備し、一次側巻線とその両側の二次巻線とで１入力２出力を構成したことを特徴とする巻線トランス。
【請求項２】ボビンの中央部に一次巻線を装着し、この一次巻線の両側に第１と第２の二次巻線を装着し、前記一次巻線とその両側の第１及び第２の二次巻線との境界に絶縁耐圧用のパーティションを配設し、前記ボビンの一端に第１の端子台を設け、前記ボビンの他端に第２の端子台を設け、それぞれの端子台に二次高圧端子とこれに対して距離を存した位置に一次入力端子とグランド端子を設け、前記第１の二次巻線の一端のリード線を前記第１の端子台の二次高圧端子に接続し、前記一次巻線の一端のリード線と前記第１の二次巻線の前記一次巻線と接する側の巻線の端部のリード線とを前記ボビンの一端に導き、該リード線をそれぞれ前記第１の端子台の対応する一次入力端子とグランド端子に接続し、前記第２の二次巻線の一端のリード線を前記第２の端子台の二次高圧端子に接続し、前記一次巻線の他端のリード線と前記第２の二次巻線の前記一次巻線と接する側の巻線の端部のリード線とを前記ボビンの他端に導き、該リード線をそれぞれ前記第２の端子台の対応する一次入力端子とグランド端子に接続し、前記ボビンにコアを装備し、一次側巻線とその両側の二次巻線とで１入力２出力を構成したことを特徴とする請求項１に記載の巻線トランス。
【請求項３】ボビンの中央部に一次巻線を装着し、この一次巻線の両側に第１と第２の二次巻線を装着し、前記一次巻線とその両側の第１及び第２の二次巻線との境界に絶縁耐圧用のパーティションを配設し、前記ボビンの一端に第１の端子台を設け、前記ボビンの他端に第２の端子台を設け、それぞれの端子台に二次高圧端子とこれに対して距離を存した位置に一次入力端子とグランド端子を設け、前記第１の二次巻線の一端のリード線を前記第１の端子台の二次高圧端子に接続し、前記一次巻線の一端のリード線と前記第１の二次巻線の前記一次巻線と接する側の巻線の端部のリード線とを前記パーティションに形成した溝を通して平行に前記ボビンの一端に導き、該リード線をそれぞれ前記第１の端子台の対応する一次入力端子とグランド端子に接続し、前記第２の二次巻線の一端のリード線を前記第２の端子台の二次高圧端子に接続し、前記一次巻線の他端のリード線と前記第２の二次巻線の前記一次巻線と接する側の巻線の端部のリード線とを前記パーティションに形成した溝を通して平行に前記ボビンの他端に導き、該リード線をそれぞれ前記第２の端子台の対応する一次入力端子とグランド端子に接続し、前記ボビンにコアを装備し、一次側巻線とその両側の二次巻線とで１入力２出力を構成したことを特徴とする巻線トランス。
【請求項４】ボビンの中央部に一次巻線を装着し、この一次巻線の両側に第１と第２の二次巻線を装着し、前記ボビンに端子台を設け、該端子台に一次巻線用の一次入力端子と第１と第２の二次巻線用の二次高圧端子と第１と第２の二次巻線用のグランド端子を設け、前記一次巻線の両端のリード線を前記端子台の一次入力端子に接続し、前記第１の二次巻線の一端のリード線を前記第１の二次巻線用の二次高圧端子に接続し、前記第１の二次巻線の他端のリード線を前記第１の二次巻線用のグランド端子に接続し、前記第２の二次巻線の一端のリード線を前記第２の二次巻線用の二次高圧端子に接続し、該第２の二次巻線の他端のリード線を前記第２の二次巻線用のグランド端子に接続し、前記ボビンにコアを装備し、一次側巻線とその両側の二次巻線とで１入力２出力の巻線トランスを構成し、前記一次巻線に共振コンデンサを接続して一次側共振回路を設け、前記一次巻線に、一次側共振電圧のフィードバック信号に基づいて自励発振する自励発振回路を接続し、第１の蛍光ランプの一方の電極を前記第１の二次巻線の二次高圧出力端子に接続し、第１の蛍光ランプに直列に第２の蛍光ランプを接続し、該第２の蛍光ランプを前記第２の二次巻線の二次高圧出力端子に接続したことを特徴とする電源装置。
【請求項５】第１の蛍光ランプの一方の電極を前記第１の二次巻線の二次高圧出力端子に接続し、第１の蛍光ランプに直列に第２の蛍光ランプを接続し、該第２の蛍光ランプを前記第２の二次巻線の二次高圧出力端子に接続したことを特徴とする「請求項４」に記載の電源装置。
【手続補正２】
【補正対象書類名】明細書
【補正対象項目名】０００４
【補正方法】変更
【補正の内容】
【０００４】
【課題を解決するための手段】
上記目的を達成するため本発明は、ボビンの中央部に一次巻線を装着し、この一次巻線の両側に第１と第２の二次巻線を装着し、前記ボビンに端子台を設け、該端子台に一次巻線用の一次入力端子と第１と第２の二次巻線用の二次高圧端子と第１と第２の二次巻線用のグランド端子を設け、前記一次巻線の両端のリード線を前記端子台の一次入力端子に接続し、前記第１の二次巻線の一端のリード線を前記第１の二次巻線用の二次高圧端子に接続し、前記第１の二次巻線の他端のリード線を前記第１の二次巻線用のグランド端子に接続し、前記第２の二次巻線の一端のリード線を前記第２の二次巻線用の二次高圧端子に接続し、該第２の二次巻線の他端のリード線を前記第２の二次巻線用のグランド端子に接続し、前記ボビンにコアを装備し、一次側巻線とその両側の二次巻線とで１入力２出力を構成したものである。
また本発明は、ボビンの中央部に一次巻線を装着し、この一次巻線の両側に第１と第２の二次巻線を装着し、前記一次巻線とその両側の第１及び第２の二次巻線との境界に絶縁耐圧用のパーティションを配設し、前記ボビンの一端に第１の端子台を設け、前記ボビンの他端に第２の端子台を設け、それぞれの端子台に二次高圧端子とこれに対して距離を存した位置に一次入力端子とグランド端子を設け、前記第１の二次巻線の一端のリード線を前記第１の端子台の二次高圧端子に接続し、前記一次巻線の一端のリード線と前記第１の二次巻線の前記一次巻線と接する側の巻線の端部のリード線とを前記ボビンの一端に導き、該リード線をそれぞれ前記第１の端子台の対応する一次入力端子とグランド端子に接続し、前記第２の二次巻線の一端のリード線を前記第２の端子台の二次高圧端子に接続し、前記一次巻線の他端のリード線と前記第２の二次巻線の前記一次巻線と接する側の巻線の端部のリード線とを前記ボビンの他端に導き、該リード線をそれぞれ前記第２の端子台の対応する一次入力端子とグランド端子に接続し、前記ボビンにコアを装備し、一次側巻線とその両側の二次巻線とで１入力２出力を構成したものである。
また本発明は、ボビンの中央部に一次巻線を装着し、この一次巻線の両側に第１と第２の二次巻線を装着し、前記一次巻線とその両側の第１及び第２の二次巻線との境界に絶縁耐圧用のパーティションを配設し、前記ボビンの一端に第１の端子台を設け、前記ボビンの他端に第２の端子台を設け、それぞれの端子台に二次高圧端子とこれに対して距離を存した位置に一次入力端子とグランド端子を設け、前記第１の二次巻線の一端のリード線を前記第１の端子台の二次高圧端子に接続し、前記一次巻線の一端のリード線と前記第１の二次巻線の前記一次巻線と接する側の巻線の端部のリード線とを前記パーティションに形成した溝を通して平行に前記ボビンの一端に導き、該リード線をそれぞれ前記第１の端子台の対応する一次入力端子とグランド端子に接続し、前記第２の二次巻線の一端のリード線を前記第２の端子台の二次高圧端子に接続し、前記一次巻線の他端のリード線と前記第２の二次巻線の前記一次巻線と接する側の巻線の端部のリード線とを前記パーティションに形成した溝を通して平行に前記ボビンの他端に導き、該リード線をそれぞれ前記第２の端子台の対応する一次入力端子とグランド端子に接続し、前記ボビンにコアを装備し、一次側巻線とその両側の二次巻線とで１入力２出力を構成したものである。
また本発明は、ボビンの中央部に一次巻線を装着し、この一次巻線の両側に第１と第２の二次巻線を装着し、前記ボビンに端子台を設け、該端子台に一次巻線用の一次入力端子と第１と第２の二次巻線用の二次高圧端子と第１と第２の二次巻線用のグランド端子を設け、前記一次巻線の両端のリード線を前記端子台の一次入力端子に接続し、前記第１の二次巻線の一端のリード線を前記第１の二次巻線用の二次高圧端子に接続し、前記第１の二次巻線の他端のリード線を前記第１の二次巻線用のグランド端子に接続し、前記第２の二次巻線の一端のリード線を前記第２の二次巻線用の二次高圧端子に接続し、該第２の二次巻線の他端のリード線を前記第２の二次巻線用のグランド端子に接続し、前記ボビンにコアを装備し、一次側巻線とその両側の二次巻線とで１入力２出力の巻線トランスを構成し、前記一次巻線に共振コンデンサを接続して一次側共振回路を設け、前記一次巻線に、一次側共振電圧のフィードバック信号に基づいて自励発振する自励発振回路を接続し、第１の蛍光ランプの一方の電極を前記第１の二次巻線の二次高圧出力端子に接続し、第１の蛍光ランプに直列に第２の蛍光ランプを接続し、該第２の蛍光ランプを前記第２の二次巻線の二次高圧出力端子に接続したものである。
また本発明は、第１の蛍光ランプの一方の電極を前記第１の二次巻線の二次高圧出力端子に接続し、第１の蛍光ランプに直列に第２の蛍光ランプを接続し、該第２の蛍光ランプを前記第２の二次巻線の二次高圧出力端子に接続したものである。